(57)【要約】【課題】  ボールを打つことなくより十全にゴルフスイングの良否を診断判定する。【解決手段】  スイングのエネルギーに反応する質量体の運動作用から生ずる音によってスイング診断する。【選択図】図１
2006006880.tif 000002
【特許請求の範囲】
【請求項１】
質量体重心が、シャフト長手方向かつグリップ方向を０度方向として、３０度方向位置より１８０度方向位置を円運動する質量体を配し、質量体重心３０度方向位置にて質量体を制止する制止構造を設け、質量体重心１８０度方向位置にて質量体を受動する受動構造を設け、該構成を一体としてシャフトに連設するか、または該構成を一体としてゴルフクラブに連接するための連接構造を設けたことを特徴とするゴルフ練習機構。
【請求項２】
質量体重心が、シャフト長手方向かつグリップ方向を０度方向として、１０度方向位置より１８０度方向位置を円運動する質量体を配し、質量体重心１０度以上８０度以下方向位置にて質量体を制止する制止構造を設け、質量体重心９０度以上１８０度以下方向位置にて質量体を受動する受動構造を設け、該構成を一体としてシャフトに連設するか、または該構成を一体としてゴルフクラブに連接するための連接構造を設けたことを特徴とするゴルフ練習機構。
【発明の詳細な説明】
【技術分野】
【０００１】  本発明はゴルフの練習用具に関する。
【背景技術】
【０００２】  ゴルフ技術の向上はスイングにかかる身体制禦を習得することにより図られるが、スイングにかかる身体制禦、身体制禦の感覚には個人差もあることから、ゴルフ技術の習得過程にあってはスイング結果について逐一診断判定する必要があった。【０００３】  このスイングの結果判定には広大な専用空間でボールを打って状況観察する方法が一般に行なわれるが、日々継続してこれを実践することは大多数のゴルファーにとって時間的、肉体的、経済的負担だった。【０００４】  そこで、専用空間で実際にボールを打って状況観察する方法に代えて、スイング結果を診断判定する代替的手段が各種考案されたが、それぞれ問題点を残していた。【０００５】  センサーにより飛球をシミュレーションしスイング結果を診断判定しようとする用具は、比較的簡素でコンパクトな装置（例えば、特許文献１、特許文献２参照）であっても、構成が複雑で高価になりがちであり、スポーツ用具としてはデリケートな部材を要しているため使用上あるいは保守上の不安もあった。
【特許文献１】特開平０９−２１５８０８号公報
【特許文献２】特開２００２−５４３９４７号公報
【０００６】  また、スイングアーク運動にかかる遠心力を検出しようとする用具（例えば、特許文献３、特許文献４参照）は、検出対象がシャフト長手方向の遠心力に偏り、ゴルフスイングのエネルギーを総合的に診断するものではなかった。
【特許文献３】特開２００１−００９０７７号公報
【特許文献４】特開２００２−０６５９２２号公報
【０００７】  また、インパクト時のフェース面の状態を検出してスイングを診断しようとする用具（例えば、特許文献５、特許文献６参照）は、スイングの根本を本質的に診断判定するものではなかった。
【特許文献５】特開平０６−０６３１９３号公報
【特許文献６】特開平０９−２３４２６１号公報
【０００８】  また、離脱物によりスイングエネルギーを検出しようとする用具（例えば、特許文献７、特許文献８参照）は、離脱物を伴うことによる使用上の制約があった。
【特許文献７】特開２００４−１２１５２７号公報
【特許文献８】特開２００４−１３６０５５号公報
【発明の開示】
【発明が解決しようとする課題】
【０００９】  本発明が解決しようとする課題は、専用空間で実際にボールを打つことに代えて代替的にスイング結果を診断判定するためのより十全な練習用具、すなわち本質的かつ総合的にスイングエネルギーを検出してゴルフスイングの良し悪しを診断判定でき、コンパクトで移動自由、日常的に使用可能で安価、堅牢かつ保守の容易なゴルフスイング練習用具を提供することにある。
【課題を解決するための手段】
【００１０】  本発明は、前記課題を実現するため次のような構成とする。【００１１】  請求項１の本発明にかかるゴルフスイング練習用具は、シャフト長手方向かつグリップ方向を０度方向として、質量体重心が３０度方向位置より１８０度方向位置を円運動する質量体を配し、質量体重心３０度方向位置にて質量体を制止する制止構造を設け、質量体重心１８０度方向位置にて質量体を受動する受動構造を設け、該構成を一体としてシャフトに連設するか、または該構成を一体としてゴルフクラブに連接するための連接構造を設けたことを特徴とするゴルフスイング練習用具である。【００１２】  この本発明にかかるゴルフスイング練習用具を適正にスイングすると、質量体は発生するスイングエネルギーにより制止部の制止を解かれ質量体重心が円軌道を辿って後受動部に衝突する。この間の音と感触とによって実際にボールを打つことなくスイングの良否を診断判定できる。極めてコンパクトな構成で日常的に使用可能、移動も自由、製造コストも安価、堅牢であり、保守上の不安もない。【００１３】  この本発明にかかるゴルフスイング練習用具は、制止部及び受動部が標準状態に整備固定化されており特性が安定しているという特長がある。【００１４】  請求項２の本発明にかかるゴルフスイング練習用具は、シャフト長手方向かつグリップ方向を０度方向として、質量体重心が１０度方向位置より１８０度方向位置を円運動する質量体を配し、質量体重心１０度以上８０度以下方向位置にて質量体を制止する制止構造を設け、質量体重心９０度以上１８０度以下方向位置にて質量体を受動する受動構造を設け、該構成を一体としてシャフトに連設するか、または該構成を一体としてゴルフクラブに連接するための連接構造を設けたことを特徴とするゴルフスイング練習用具である。【００１５】  この本発明にかかるゴルフスイング練習用具は、基本的使用法と特性は請求項１の発明にかかるゴルフスイング練習用具と同様であるが、制止部や受動部が可動であり制止位置や受動位置を調節可能であり、様々な練習状況またゴルファーの個性に対応できる特長がある。
【発明の効果】
【００１６】  本発明によりゴルファーは、専用空間でボールを打つことなくより十全な意味においてスイング結果を診断判定することが可能となり、練習にかかる時間的負担、肉体的負担、経済的負担を軽減することができる。【００１７】  また通常打球を伴う練習においては、打たねばならないボールあるいは打球結果に心を奪われ、身体制禦への意識が希薄になりがちであったりするが、本発明によるときは身体制禦の観察に専念することが容易となる。【００１８】  本発明による練習用具は堅牢でコンパクト、移動自由であり、コストも安価、また保守の負担もかからない。【００１９】  本発明によりゴルファーは、コースラウンドする前やコースラウンドした後に、また練習場等で実際にボールを打つ時以外に、任意の場所、環境でスイング練習しスイング診断することが可能で、スイング観点の発見、再確認もでき、ゴルフ技術の習得、維持、向上に貢献する。【００２０】  本発明により、大規模なゴルフ設備がない場合であってもゴルフスイングの核心を学習することが可能となり、ゴルフ人口の裾野を拡大できる。
【発明を実施するための最良の形態】
【００２１】  以下、本発明を実施するための最良の形態について詳述する。本発明は、質量体重心が円運動する質量体、質量体を制止する制止部、質量体を受動する受動部を設けてハウジングに納め、専用のシャフトに連設するか、または連接構造により任意のゴルフクラブに連接した構成とする。【００２２】  質量体重心の円運動は質量体の回転中心で質量体を支持する形態によって実現してもよく、また軌道を形成しその軌道で質量体を支持する形態によって実現してもよい。【００２３】  制止部、受動部を固定化する構成、すなわちシャフト長手方向かつグリップ方向を０度方向として、制止部は質量体を質量体重心３０度方向位置にて制止する構成とし、受動部は質量体を質量体重心１８０度方向位置にて受動する構成とし、その間を質量体重心が円運動する構成とした場合は、制止部および受動部が標準状態に整備固定され用具特性が安定している特長がある。【００２４】  また制止部、受動部を可動化する構成、すなわちシャフト長手方向かつグリップ方向を０度方向として、制止部は質量体を質量体重心１０度以上８０度以下方向の任意位置にて制止する構成とし、受動部は質量体を質量体重心９０度以上１８０度以下方向の任意位置にて受動する構成とし、制止部と受動部との間を質量体重心が円運動する構成とした場合は、制止部や受動部が位置調節可能で、様々な練習状況またゴルファーの個性に対応でき、スイングの研究考察を促進できるという特長がある。【００２５】  本発明にかかるゴルフスイング練習用具は正規のゴルフクラブをスイングするときのようにスイングして使用するが、適正なスイングがなされると質量体が制止部の制止を解いて運動し受動部に衝突する。質量体は受動部に衝突する際衝撃音を音するが、衝撃音を調節する調節機構を設ければ使用環境への順応性が高まる。また質量体と受動部との衝突に起因しない発音構造を配してもよい。本発明を使用する練習者は、スイングの良否を音と感触とで確かめながら身体制禦の観察に集中できる。本発明にかかるゴルフスイング練習用具によるスイングは所謂素振りであり、練習者が実際にボールを打つ必要は終始ない。【００２６】  また、本発明において専用のシャフトを連設する構成としたときは用具特性が標準的コンディションに保たれベーシックな使用に適する。【００２７】  また、本発明において任意のクラブに連接できる連接構造を配する構成としたときは練習のヴァリエーションが拡がり、より多彩な練習ができる。【００２８】  本発明を活用し多くの身体運動の中から適正なスイングにかかる身体制禦を選別して習得することによりゴルフ技術を効率的に学習することが可能になる。【００２９】  なお本発明にはさらに様々な実施形態があり得るが、いずれの形態であっても、基本的使用法および基本的特性については共通している。
【実施例１】
【００３０】  以下、本発明の第一実施形態であるゴルフスイング練習用具について、図１図２図３図４に基づいて説明する。第一実施形態にかかるゴルフスイング練習用具は、シャフト長手方向かつグリップ方向を０度方向として、回転子重心が３０度方向位置より１８０度方向位置を回転運動する回転子１ａを設け、回転子重心３０度方向位置にて回転子１ａを制止する制止部１ｃを設け、回転子重心１８０度方向位置にて回転子１ａを受動する受動部１ｄを設け、受動部１ｄに挟持具４を設け、これら構成をハウジング６に納め、専用のシャフト７に連設したゴルフスイング練習用具である。【００３１】  回転子１ａにはリセットのとき使用するリセットハンドル１ｂを設けるが、このリセットハンドル１ｂは回転子の位置を示すインジケーターの役割を兼ねる。【００３２】  回転子１ａは挟持具４によって制止部１ｃに制止される。挟持具１ｃには挟持の強さを調節する調節機構を設けてもよい。【００３３】  以下本発明の第一実施形態であるゴルフスイング練習用具の使用法について説明する。練習者は、本発明にかかるゴルフスイング練習用具を、回転子１ａをリセットハンドル１ｂを用いて制止部１ｃにリセットした後、正規クラブをスイングするときのようにスイングして使用する。その際、適正なスイングによって発生する本質的総合的エネルギーにより、回転子１ａが制止部１ｃの制止を解いて受動部１ｄ方向へと回転し受動部１ｄに衝突する。回転子１ａが受動部１ｄに衝突する際には衝撃音を発する。この衝撃音によりスイングの良否を診断判定できる。練習者は、この診断判定で判明する適正なスイングにかかる身体制禦を選別的に反復練習することによって、ゴルフ技術を効率的に学習できる。
【実施例２】
【００３４】  次に本発明の第二実施形態であるゴルフスイング練習用具について、図５に基づいて説明する。第二実施形態にかかるゴルフスイング練習用具は、シャフト長手方向かつグリップ方向を０度方向として、回転子重心が３０度方向位置より１８０度方向位置を回転する回転子２ａを設け、回転子重心３０度方向位置にて回転子２ａを制止する制止部２ｃを設け、回転子重心１８０度方向位置にて回転子２ａを受動する受動部２ｄを設け、制止部２ｃに磁石２ｅを設け、受動部２ｄにバネ２ｆを設け、これら構成をハウジングに納め、専用のシャフトに連設するか、または連接構造により正規のゴルフクラブに連接したゴルフスイング練習用具である。【００３５】  回転子２ａには手動でリセットするためのリセットハンドル２ｂを設ける。回転子２ａは、リセット時、制止部２ｃに磁石２ｅによって制止される。磁石２ｅに接する回転子２ａの面には、磁気に反応する部材例えば鉄材８を配する。磁石２ｅの磁力を調節する調節機構を設けて回転子２ａを制止する強さを調節できる構成としてもよい。【００３６】  以下本発明の第二実施形態であるゴルフスイング練習用具の使用法について説明する。練習者は、本発明にかかるゴルフスイング練習用具を、回転子２ａをリセットハンドル２ｂを用いて制止部２ｃにリセットした後、正規クラブをスイングするときのようにスイングして使用する。その際、適正なスイングによって発生する本質的総合的エネルギーにより、回転子２ａが制止部２ｃの制止を解いて受動部２ｄ方向へと回転し受動部２ｄに衝突する。回転子２ａが受動部２ｄに衝突する際には衝撃音を発する。この衝撃音によりスイングの良否を診断判定できる。この診断判定の利用方法は第一実施形態であるゴルフスイング練習用具の場合と同様である。回転子２ａはその後バネ２ｆによって撥ね返され回転して制止部２ｃに戻る。回転子２ａのリセットが自動化され使い易い特長がある。なお万一回転子２ｆが制止部２ｃに自動的に戻らなかったときはリセットハンドル２ｂを用いてリセットする。
【実施例３】
【００３７】  次に本発明の第三実施形態であるゴルフスイング練習用具について、図６図７に基づいて説明する。第三実施形態にかかるゴルフスイング練習用具は、シャフト長手方向かつグリップ方向を０度方向として、回転子重心が１０度方向位置より１８０度方向位置を回転する回転子３ａを配し、回転子重心１０度以上８０度以下方向の任意位置にて回転子３ａを制止する制止部３ｃを設け、回転子重心９０度以上１８０度以下方向の任意位置にて回転子３ａを受動する受動部３ｄを設け、制止部３ｃに磁石３ｅを設け、受動部３ｄにバネ３ｆを設け、これら構成をハウジング１３に納め、連接具１４により正規のゴルフクラブであるドライバーに連接したゴルフスイング練習用具である。【００３８】  回転子３ａには手動でリセットするためのリセットハンドル３ｂを設ける。回転子３ａは、リセット時、制止部３ｃに磁石３ｅによって制止される。磁石３ｅに接する回転子３ａの面には、磁気に反応する部材例えば鉄材を配する。磁石３ｅの磁力を調節する調節機構を設けて回転子３ａを制止する強さを調節できる構成としてもよい。【００３９】  以下本発明の第三実施形態であるゴルフスイング練習用具の使用法について説明する。本発明にかかるゴルフスイング練習用具を使用するときは、本発明を連接具１４によって正規クラブに連接し、制止部調節ネジ１０によって制止部３ｃを調節固定し、受動部調節ネジ１１によって受動部３ｄを調節固定し、回転子３ａをリセットハンドル３ｂを用いて制止部３ｃにリセットした後、正規クラブをスイングして使用する。その際、適正なスイングによって発生する本質的総合的エネルギーにより、回転子３ａが制止部３ｃの制止を解いて受動部３ｄ方向へと回転し受動部３ｄに衝突する。回転子３ａが受動部３ｄに衝突する際には衝撃音を発する。この衝撃音によりスイングの良否を診断判定できる。この診断判定の利用方法は第一実施形態であるゴルフスイング練習用具の場合と同様である。回転子３ａはその後バネ３ｆによって撥ね返され回転して制止部３ｃに戻る。万一回転子３ａが制止部３ｃに自動的に戻らなかったときはリセットハンドル３ｂを用いてリセットする。この実施形態におけるゴルフスイング練習用具は、任意の正規クラブに連接でき、制止部３ｃおよび受動部３ｄも位置調節できるので、より多様な状況下において、またより多様な目的のために使用可能であるという特長がある。
【図面の簡単な説明】
【００４０】
【図１】本発明一実施形態内部構成の一部を示す斜視図。
【図２】本発明一実施形態内部構成の一部を示す正面図。
【図３】本発明一実施形態の一部を示す正面図。
【図４】本発明一実施形態の一部を示す平面図。
【図５】本発明一実施形態内部構成の一部を示す斜視図。
【図６】本発明一実施形態内部構成の一部を示す斜視図。
【図７】本発明一実施形態の一部を示す斜視図。
【符号の説明】
【００４１】  １ａ        回転子
１ｂ        リセットハンドル
１ｃ        制止部
１ｄ        受動部
２ａ        回転子
２ｂ        リセットハンドル
２ｃ        制止部
２ｄ        受動部
２ｅ        磁石
２ｆ        バネ
３ａ        回転子
３ｂ        リセットハンドル
３ｃ        制止部
３ｄ        受動部
３ｅ        磁石
３ｆ        バネ
４          挟持具
５          軸受け
６          ハウジング
７          シャフト
８          鉄材
９          軸受け
１０          制止部調節ネジ
１１          受動部調節ネジ
１２          軸受け
１３          ハウジング
１４          連接具
１５          クラブシャフト
１６          クラブヘッド
【図１】
2006006880.tif 000003
【図２】
2006006880.tif 000004
【図３】
2006006880.tif 000005
【図４】
2006006880.tif 000006
【図５】
2006006880.tif 000007
【図６】
2006006880.tif 000008
【図７】
2006006880.tif 000009
【手続補正書】
【提出日】平成16年8月2日(2004.8.2)
【手続補正１】
【補正対象書類名】明細書
【補正対象項目名】００２１
【補正方法】変更
【補正の内容】
【００２１】  以下、本発明を実施するための最良の形態について詳述する。本発明は実施時に於ける最良の形態として、質量体重心が円運動する質量体、質量体を制止する制止部、質量体を受動する受動部を設けてハウジングに納め、専用のシャフトに連設するか、または連接構造により任意のゴルフクラブに連接した構成とする。
【手続補正２】
【補正対象書類名】明細書
【補正対象項目名】００３０
【補正方法】変更
【補正の内容】
【００３０】  以下、本発明の第一実施形態であるゴルフスイング練習用具について、図１図２図３図４に基づいて説明する。第一実施形態にかかるゴルフスイング練習用具は、シャフト長手方向かつグリップ方向を０度方向として、回転子重心が３０度方向位置より１８０度方向位置を回転運動する回転子１ａを設け、回転子重心３０度方向位置にて回転子１ａを制止する制止部１ｃを設け、回転子重心１８０度方向位置にて回転子１ａを受動する受動部１ｄを設け、制止部１ｃに挟持具４を設け、これら構成をハウジング６に納め、専用のシャフト７に連設したゴルフスイング練習用具である。
【手続補正３】
【補正対象書類名】明細書
【補正対象項目名】００３６
【補正方法】変更
【補正の内容】
【００３６】  以下本発明の第二実施形態であるゴルフスイング練習用具の使用法について説明する。練習者は、本発明にかかるゴルフスイング練習用具を、回転子２ａをリセットハンドル２ｂを用いて制止部２ｃにリセットした後、正規クラブをスイングするときのようにスイングして使用する。その際、適正なスイングによって発生する本質的総合的エネルギーにより、回転子２ａが制止部２ｃの制止を解いて受動部２ｄ方向へと回転し受動部２ｄに衝突する。回転子２ａが受動部２ｄに衝突する際には衝撃音を発する。この衝撃音によりスイングの良否を診断判定できる。この診断判定の利用方法は第一実施形態であるゴルフスイング練習用具の場合と同様である。回転子２ａはその後バネ２ｆによって撥ね返され回転して制止部２ｃに戻る。回転子２ａのリセットが自動化され使い易い特長がある。なお万一回転子２ａが制止部２ｃに自動的に戻らなかったときはリセットハンドル２ｂを用いてリセットする。
【手続補正４】
【補正対象書類名】明細書
【補正対象項目名】００３７
【補正方法】変更
【補正の内容】
【００３７】  次に本発明の第三実施形態であるゴルフスイング練習用具について、図６図７に基づいて説明する。第三実施形態にかかるゴルフスイング練習用具は、シャフト長手方向かつグリップ方向を０度方向として、回転子重心が１０度方向位置より１８０度方向位置を回転する回転子３ａを配し、回転子重心１０度以上８０度以下方向の任意位置にて回転子３ａを制止する制止部３ｃを設け、回転子重心９０度以上１８０度以下方向の任意位置にて回転子３ａを受動する受動部３ｄを設け、制止部３ｃに磁石３ｅ及び制止部調節ネジ１０を設け、受動部３ｄにバネ３ｆ及び受動部調節ネジ１１を設け、これら構成をハウジング１３に納め、連接具１４により正規のゴルフクラブであるドライバーに連接したゴルフスイング練習用具である。